(57)【特許請求の範囲】
【請求項１】
紙幣を収納する金庫と、
前記金庫上に紙幣を集積する中間プール部と、
前記中間プール部に搬入される紙幣を１枚ずつ前記金庫上に押し付ける紙幣集積機構であって、前記金庫上に紙幣が有る場合に前記金庫と電気的に分離される一方、前記金庫上に紙幣が無い場合に前記金庫と電気的に接続されるものと、
前記紙幣集積機構側と金庫側との導通チェックに基づいて、前記金庫上における紙幣の有無を検出する紙幣検出手段と、
を備えることを特徴とする紙幣入出金装置。
【請求項２】
前記紙幣集積機構は、紙幣の両端部を前記金庫上に押し付ける一対の金属バタフライを備え、
前記紙幣検出手段は、前記金属バタフライ同士の導通チェックに基づいて、前記金庫上における紙幣の有無を検出することを特徴とする請求項１に記載の紙幣入出金装置。
【請求項３】
前記金庫は、紙幣の両端部を下側から支え、且つ、相互に電気的に接続される一対の金属ブレードを備え、
前記一対の金属バタフライは、前記一対の金属ブレード上に紙幣が無い場合に、それぞれ前記各金属ブレードに対して接触されることを特徴とする請求項２に記載の紙幣入出金装置。
【請求項４】
前記一対の金属ブレードは、アースまたはブレード支持部材を介して相互に電気的に接続されていることを特徴とする請求項３に記載の紙幣入出金装置。
【請求項５】
前記一対の金属ブレードは、前記紙幣を集積して収納する金庫に対し、その内外に出退自在に取り付けられると共に、前記金属ブレードの出退動作によって該金属ブレード上の紙幣を前記金庫内に取り込むよう構成されていることを特徴とする請求項３または４に記載の紙幣入出金装置。
【請求項６】
前記紙幣検出手段は、前記一対の金属バタフライの一方側から所定波形のパルスを送出するパルス送出手段と、前記一対の金属バタフライの他方側で前記パルスを受信するパルス受信手段と、前記パルス受信手段の受信信号に基づいて、前記金庫上における紙幣の有無を判定する判定手段とを備えることを特徴とする請求項３〜５の何れかに記載の紙幣入出金装置。
【請求項７】
前記一方の金属バタフライ側におけるパルス送出経路及び前記他方の金属バタフライ側におけるパルス受信経路に、それぞれ直流成分遮断用のコンデンサを備えることを特徴とする請求項６に記載の紙幣入出金装置。
【請求項８】
請求項３〜７の何れかに記載の紙幣入出金装置における制御方法であって、
紙幣返却指令に応じて前記金属ブレード上の紙幣を繰り出し搬送する工程と、
前記金属バタフライと前記金属ブレードとの導通チェックに基づいて、前記金属ブレード上における紙幣の有無を判定する工程と、
前記金属ブレード上に紙幣が無いと判定したとき、紙幣の繰り出しを終了する工程と、を備えることを特徴とする紙幣入出金装置の制御方法。
【発明の詳細な説明】
【０００１】
【発明の属する技術分野】
本発明は、ＡＴＭ（現金自動預入支払機）等に組み込まれ、紙幣の入金処理や出金処理を自動的に行う紙幣入出金装置に関する。
【０００２】
【従来の技術】
銀行等に設置されるＡＴＭや両替機には、紙幣の入金処理や出金処理を自動的に行う紙幣入出金装置が組み込まれている。一般に、この種の紙幣入出金装置は、紙幣の入出金を行う入出金部と、紙幣の種類および真偽を識別する識別部と、入金紙幣の集積や出金紙幣の繰り出しを行う中間プール部と、紙幣を収納する金庫と、上記各部の間で紙幣搬送を行う搬送部とを備えており、上記各部においては、紙幣の有無や位置をセンサで正確に検出すると共に、該検出信号に応じて適正な動作を行うことが要求される。
【０００３】
上記センサとしては、比較的安価であり、且つ、紙幣を非接触で検出できることから、光学式のホトセンサが広く採用されており、その検出条件に応じて透過型もしくは反射型のホトセンサが選択的に用いられている。
【０００４】
【発明が解決しようとする課題】
しかしながら、上記中間プール部においては、取扱条件が異なる２種の紙幣（金庫内の確定紙幣と金庫上の未確定紙幣）を、仕切り部材（金属ブレード）を介して重合状に取り扱う場合があり、このような状況では、上記ホトセンサによる紙幣検出が困難になる場合がある。つまり、上記２種の紙幣を区別する必要がない場合には、その有無をホトセンサで検出することが可能であるが、何れか一方の紙幣についてのみ、その有無を検出することは不可能であった。
【０００５】
そこで、従来においては、装置内の紙幣移動に際して常に計数処理を行い、該計数処理結果に基づいて所定位置における紙幣の有無を判断しているが、重送等のトラブルが発生すると、計数ミスによって紙幣の有無を誤認する可能性があった。
【０００６】
本発明の目的は、ホトセンサによる検出が不可能な状況であっても、金庫上における紙幣の有無を検出することができ、しかも、導通チェックに基づいて紙幣の有無を検出するものでありながら、既存の部材を利用して導通チェック回路を構成することにより、部品点数の削減および構造の簡略化を図ることができる紙幣入出金装置およびその制御方法を提供することにある。
【０００７】
【課題を解決するための手段】
上記目的を達成するため本発明の紙幣入出金装置は、紙幣を収納する金庫と、前記金庫上に紙幣を集積する中間プール部と、前記中間プール部に搬入される紙幣を１枚ずつ前記金庫上に押し付ける紙幣集積機構であって、前記金庫上に紙幣が有る場合に前記金庫と電気的に分離される一方、前記金庫上に紙幣が無い場合に前記金庫と電気的に接続されるものと、前記紙幣集積機構側と金庫側との導通チェックに基づいて、前記金庫上における紙幣の有無を検出する紙幣検出手段とを備えて構成される。
【０００８】
また、前記紙幣集積機構は、紙幣の両端部を前記金庫上に押し付ける一対の金属バタフライを備え、前記紙幣検出手段は、前記金属バタフライ同士の導通チェックに基づいて、前記金庫上における紙幣の有無を検出することが好ましい。この場合においては、紙幣集積機構側の配線のみで金庫上における紙幣の有無を検出することができ、その結果、金庫側の配線を不要にして部品点数の削減および構造の簡略化を図ることができる。
【０００９】
また、前記金庫は、紙幣の両端部を下側から支え、且つ、相互に電気的に接続される一対の金属ブレードを備え、前記一対の金属バタフライは、前記一対の金属ブレード上に紙幣が無い場合に、それぞれ前記各金属ブレードに対して接触されることが好ましい。この場合においては、金属ブレードを利用して導通チェック回路を構成することができるため、専用部材を設ける場合に比して部品点数の削減および構造の簡略化を図ることができる。
【００１０】
また、前記一対の金属ブレードは、アースまたはブレード支持部材を介して相互に電気的に接続されていることが好ましい。この場合においては、一対の金属ブレードを配線で接続することが不要になり、その結果、部品点数の削減および構造の簡略化を図ることができる。
【００１１】
また、前記一対の金属ブレードは、前記紙幣を集積して収納する金庫に対し、その内外に出退自在に取り付けられると共に、前記金属ブレードの出退動作によって該金属ブレード上の紙幣を前記金庫内に取り込むよう構成されていることが好ましい。この場合においては、金属ブレード上に集積される紙幣の有無を、金庫に収納される紙幣と区別した状態で検出することができ、しかも、金属ブレードを利用して導通チェック回路を構成することができるため、専用部材を設ける場合に比して部品点数の削減および構造の簡略化を図ることができる。
【００１２】
また、前記紙幣検出手段は、前記一対の金属バタフライの一方側から所定波形のパルスを送出するパルス送出手段と、前記一対の金属バタフライの他方側で前記パルスを受信するパルス受信手段と、前記パルス受信手段の受信信号に基づいて、前記金庫上における紙幣の有無を判定する判定手段とを備えることが好ましい。この場合においては、導通チェックに基づいて紙幣の有無を検出するものでありながら、接点の劣化や、劣化に伴う接触不良を回避し、精度の高い検出を行うことができる。
【００１３】
また、前記一方の金属バタフライ側におけるパルス送出経路及び前記他方の金属バタフライ側におけるパルス受信経路に、それぞれ直流成分遮断用のコンデンサを備えることが好ましい。この場合においては、火花の発生要因である直流成分を遮断して接点の劣化を防止でき、しかも、アースからの直流成分を遮断することにより、アースを利用した導通チェック回路を構成することができる。
【００１４】
また、上記目的を達成するため本発明の紙幣入出金装置における制御方法は、紙幣返却指令に応じて前記金属ブレード上の紙幣を繰り出し搬送する工程と、前記金属バタフライと前記金属ブレードとの導通チェックに基づいて、前記金属ブレード上における紙幣の有無を判定する工程と、前記金属ブレード上に紙幣が無いと判定したとき、紙幣の繰り出しを終了する工程とを備えて構成される。
【００１５】
【発明の実施の形態】
以下、図示した一実施形態に基いて本発明を詳細に説明する。図１は、本発明の一実施形態に係る紙幣入出金装置の内部側面図である。この図に示されるように、紙幣入出金装置１は、最上部の前側に設けられる入出金部１００と、該入出金部１００の後方に設けられる識別部２００と、上記入出金部１００の下方に設けられる千円用中間プール部３００Ａと、該千円用中間プール部３００Ａの下方に着脱自在に装着される千円用金庫４００Ａと、該千円用金庫４００Ａの下方に設けられる五千円用中間プール部３００Ｂと、該五千円用中間プール部３００Ｂの下方に着脱自在に装着される五千円用金庫４００Ｂと、五千円用金庫４００Ｂの下方に設けられる一万円用中間プール部３００Ｃと、該一万円用中間プール部３００Ｃの下方に着脱自在に装着される一万円用金庫５００と、上記各部の間で紙幣搬送を行う紙幣搬送部６００と、上記金庫４００Ａ、４００Ｂ、５００の後方に設けられる制御部７００とを備えて構成される。尚、上記の各中間プール部３００Ａ、３００Ｂ、３００Ｃは同一構造であるため、各中間プール部３００Ａ、３００Ｂ、３００Ｃに共通する説明においては符号Ａ、Ｂ、Ｃを省略する。また、金庫４００Ａ、４００Ｂ、５００のうち、千円用金庫４００Ａと五千円用金庫４００Ｂも同一構造であるため、各金庫４００Ａ、４００Ｂに共通する説明においては符号Ａ、Ｂを省略する。
【００１６】
入出金部１００は、入金利用者から紙幣Ｐを受け取ると共に、出金利用者に紙幣Ｐを渡す部分である。本実施形態の入出金部１００は、入金時において、入出金口１０１に一括投入された紙幣Ｐの束を仕切り板１０２の上側に取り込む処理と、取り込んだ紙幣Ｐを搬送口１０３を介して識別部２００に順次繰り出す処理と、入金リジェクト口１０４から送り込まれるリジェクト紙幣Ｐを仕切り板１０２の下側に集積する処理と、集積したリジェクト紙幣Ｐを入出金口１０１から放出する処理とを行い、また、出金時および一括返却時においては、搬送口１０３を介して識別部２００から送り込まれる紙幣Ｐを仕切板１０２の上側に集積する処理と、集積した紙幣Ｐを入出金口１０１から放出する処理とを行うように構成される。
【００１７】
識別部２００は、入金された紙幣Ｐまたは出金する紙幣Ｐの真偽および種類を識別する部分である。本実施形態の識別部２００は、紙幣Ｐの光透過パターンを検出する光透過式識別センサ（図示せず）と、紙幣Ｐに印刷される磁性体の磁気パターンを検出する磁気式識別センサ（図示せず）とを備えて構成される。
【００１８】
中間プール部３００は、入金された紙幣Ｐの一時保留や、金庫４００、５００からの出金紙幣Ｐの繰り出しを行う部分である。本実施形態の中間プール部３００は、入金時において、搬送口３０１から送り込まれる紙幣Ｐを集積する処理（集積モード）と、集積した紙幣Ｐを金庫４００、５００に収納する処理（収納モード）とを行い、また、一括返却時においては、集積した紙幣Ｐを搬送口３０１から順次繰り出す処理（返却モード）を行い、更に、出金時においては、金庫４００、５００内の紙幣Ｐを搬送口３０１から順次繰り出す処理（繰り出しモード）を行うように構成される。
【００１９】
金庫４００、５００は、入金された紙幣Ｐまたは出金用の紙幣Ｐを収納する部分である。本実施形態の金庫４００、５００は、金庫内部を中間プール部３００に連通させる上部開口４０１、５０１と、該上部開口４０１、５０１を開閉するシャッタ４０２、５０２と、紙幣取扱者が紙幣Ｐを出し入れするための紙幣出し入れ口４０３、５０３と、該紙幣出し入れ口４０３、５０３を開閉するドア４０４、５０４と、該ドア４０４、５０４を施錠するドア施錠機構４０５、５０５とを備えて構成される。また、本実施形態の一万円用金庫５００は、出金時に発見したリジェクト紙幣Ｐを収納するリジェクト金庫を兼ねており、該リジェクト金庫を構成する出金リジェクト部５０６が前端側に一体化されている。
【００２０】
紙幣搬送部６００は、入金された紙幣Ｐを識別部２００から各中間プール部３００へ搬送する入金搬送処理と、入金リジェクト紙幣Ｐを識別部２００から入出金部１００の入金リジェクト口１０４へ搬送する入金リジェクト搬送処理と、出金（または返却）する紙幣Ｐを各中間プール部３００から識別部２００へ搬送する出金搬送処理（または返却搬送処理）と、出金リジェクト紙幣Ｐを出金リジェクト部５０６へ搬送する出金リジェクト搬送処理とを行う部分である。本実施形態の紙幣搬送部６００は、識別部２００の後部から千円用中間プール部３００Ａの搬送口近傍に至る横搬送部６０１と、千円用中間プール部３００Ａの搬送口近傍から出金リジェクト部５０６に至る縦搬送部６０２と、各中間プール部３００の搬送口近傍で搬送経路を切換える千円ゲート６０３Ａ、五千円ゲート６０３Ｂおよび一万円ゲート６０３Ｃと、横搬送部６０１の中間部から入出金部１００の入金リジェクト口１０４に至る入金リジェクト搬送部６０４と、該入金リジェクト搬送部６０４の始端部で搬送経路を切換える入金リジェクトゲート６０５とを備えて構成される。
【００２１】
制御部７００は、ホストからのコマンドや各種センサの検出信号を入力し、該入力に応じて各種アクチュエータを動作させる部分である。本実施形態の制御部７００は、入金処理、収納処理、一括返却処理および出金処理を行うためのプログラムを備えており、以下、上記各処理の概略を説明する。
【００２２】
入金処理は、入金コマンドの受信に応じて実行される。入金コマンドを受信すると、入出金部１００の入出金口１０１を開閉するシャッタ１０５が開き、紙幣Ｐの投入を待つ。紙幣Ｐの束が入出金口１０１に投入されると、投入された紙幣Ｐの束は、仕切り板１０２の上側に取り込まれた後、識別部２００に一枚ずつ順次繰り出され、その真偽および種類が識別される。紙幣Ｐが真券であると識別された場合には、その券種に対応するゲート６０３が開くと共に、紙幣Ｐが横搬送部６０１および縦搬送部６０２を経て対応する中間プール部３００に送り込まれ、ここに集積される。一方、紙幣Ｐが偽券であると識別された場合には、入金リジェクトゲート６０５が開くと共に、紙幣Ｐが横搬送部６０１および入金リジェクト搬送部６０４を経て仕切り板１０２の下側に送り込まれ、ここに集積される。入出金部１００から全ての紙幣Ｐが繰り出されると、入金リジェクト紙幣Ｐ（仕切り板１０２の下側集積紙幣Ｐ）の有無が判断される。入金リジェクト紙幣Ｐが無い場合には、そのまま入金処理を終了する一方、入金リジェクト紙幣Ｐが有る場合には、入金リジェクト紙幣Ｐを入出金口１０１から返却した後、入金処理を終了する。
【００２３】
また、入金処理終了後、収納コマンドを受信すると、収納処理が実行され、各中間プール部３００に集積された紙幣Ｐが各金庫４００、５００に収納される。一方、入金処理終了後、返却コマンドを受信すると、一括返却処理が実行される。一括返却処理においては、各中間プール部３００に集積された紙幣Ｐが順次繰り出されると共に、繰り出された紙幣Ｐが縦搬送部６０２、横搬送部６０１および識別部２００を経て入出金部１００に送り込まれ、ここに集積される。その後、集積された紙幣Ｐを入出金口１０１から返却し、一括返却処理を終了する。
【００２４】
出金処理は、出金コマンドの受信に応じて実行される。出金コマンドを受信すると、各金庫４００、５００内の紙幣Ｐが必要枚数だけ順次繰り出されると共に、繰り出された紙幣Ｐが縦搬送部６０２、横搬送部６０１および識別部２００を経て入出金部１００に送り込まれ、ここに集積される。その後、集積された紙幣Ｐを入出金口１０１から出金し、出金処理を終了する。また、出金処理中に出金リジェクト紙幣Ｐ（偽券、破損紙幣、重送紙幣等）が見つかった場合には、出金リジェクト処理が実行され、出金リジェクト部５０６に出金リジェクト紙幣Ｐが収納される。
【００２５】
次に、本発明の要部である中間プール部３００および金庫４００（５００）を詳細に説明する。図１に示されるように、紙幣入出金装置１のシャーシ２には、左側方に開口する３段の金庫装着室３が形成されている。各金庫装着室３の上部には、ユニット化された中間プール部３００が組み付けられており、各中間プール部３００には、縦搬送部６０２の動力源である縦搬送モータ６０６の動力が入力ギヤ３０２を介して伝動される。これにより、各中間プール部３００において、縦搬送部６０２と同期した紙幣搬送（集積搬送および繰り出し搬送）を行うことが可能になる。
【００２６】
図２は、中間プール部の内部平面図、図３は、中間プール部の内部左側面図である。これらの図に示されるように、中間プール部３００は、縦搬送部６０２と同期して紙幣Ｐの集積搬送および繰り出し搬送を行うベルト搬送体３０３と、繰り出し搬送時に紙幣Ｐの先端部をピックアップし、該ピックアップした紙幣Ｐをベルト搬送体３０３との間で挟持搬送するピックアップローラ３０４と、繰り出し搬送時に紙幣Ｐの分離を促す分離ローラ３０５と、繰り出し搬送時に紙幣Ｐの走行を検知する繰り出しセンサ３０６と、繰り出し搬送時に下層の紙幣Ｐを制動する紙幣ブレーキ機構３０７と、集積搬送時に紙幣Ｐを一枚ずつ整然と集積させる紙幣集積機構３０８と、集積搬送時および繰り出し搬送時に所定のタイミングで紙幣Ｐを押し下げる押し下げ機構３０９と、上記紙幣集積機構３０８および押し下げ機構３０９を動作させるバタフライソレノイド３１０と、上記紙幣ブレーキ機構３０７を動作させる分離ソレノイド３１１とを備えて構成されている。
【００２７】
一方、金庫４００（５００）は、各金庫装着室３における中間プール部３００の下方空間に着脱自在に装着される。図１に示されるように、各金庫装着室３の前側には、それぞれ金庫施錠機構４が設けられている。金庫施錠機構４は、施錠操作および解錠操作に応じて出没する回動式のロックレバー４ａを備えており、上記施錠操作に伴って突出したロックレバー４ａが金庫４００（５００）に係合することにより、金庫４００（５００）の取り出しが規制される。また、図４に示されるように、各金庫装着室３の裏側（シャーシ２の右側面）には、リフト駆動機構５が設けられている。リフト駆動機構５は、リフトモータ６と、該リフトモータ６の正逆駆動に応じて回動するカム７と、該カム７に上方から接当するカムピン８と、該カムピン８を支軸９ａを支点として上下動自在に支持するカムアーム９とを備えて構成され、リフトモータ６の正逆駆動に応じたカム７の回動により、カムピン８を上下動させる。そして、カムピン８は、シャーシ２に形成される円弧状（円弧中心は支軸９ａ）の長孔１０を介して金庫装着室３に突出しており、金庫装着状態においては、金庫４００（５００）の側面に形成される同一形状の長孔４０６を介して金庫４００（５００）の内部に進入する。
【００２８】
金庫４００（５００）は、前述したように、金庫内部を中間プール部３００に連通させる上部開口４０１（５０１）と、該上部開口４０１（５０１）を開閉するシャッタ４０２（５０２）と、紙幣取扱者が紙幣Ｐを出し入れするための紙幣出し入れ口４０３（５０３）と、該紙幣出し入れ口４０３（５０３）を開閉するドア４０４（５０４）と、該ドア４０４（５０４）を施錠するドア施錠機構４０５（５０５）とを備えて構成されるが、さらに、その内部には、紙幣収納機構を備えている。尚、金庫４００および金庫５００における上記機構の構成は略同一であるため、以降は、金庫５００の説明を省略する。
【００２９】
図５は、リフトブレード上昇状態（繰り出しモード）を示す紙幣収納機構の正面図、図６は、リフトブレード上昇状態（繰り出しモード）を示す紙幣収納機構の右側面図、図７は、リフトブレード下降状態（初期状態）を示す紙幣収納機構の右側面図である。これらの図に示されるように、紙幣収納機構は、ベルト搬送体３０３の下方で紙幣Ｐを昇降させるステージ４０７と、該ステージ４０７を昇降自在に支持するパンタグラフ４０８と、上記ステージ４０７を上昇方向に付勢するステージバネ（引張コイルバネ）４０９と、金庫４００の上端部に上下回動自在に設けられる左右一対のリフトアーム４１０と、該リフトアーム４１０の先端部に上下回動自在に設けられるリフトブレード（金属ブレード）４１１とを備えて構成される。
【００３０】
パンタグラフ４０８は、金庫４００の底部に設けられるベースプレート４１２と、ステージ４０７との間に伸縮自在に構成されており、その枢軸４１３は右側方に延出している。ステージバネ４０９は、枢軸４１３の延出部と金庫４００の固定部との間に介設されると共に、中間部が複数の固定プーリ４１４に懸回されており、そのバネ力は、枢軸４１３を引き上げる方向、つまりステージ４０７を上昇させる方向に作用している。
【００３１】
左右一対のリフトアーム４１０は、平面視でステージ４０７の左右両側に振り分け状に配置されると共に、その基端部同士が回動支軸４１０ａを介して一体的に連結されている。右側のリフトアーム４１０には、作動プレート４１５が一体的に設けられており、その先端部には係合溝４１５ａが形成されている。係合溝４１５ａは、金庫４００が装置本体に装着されたとき、リフト駆動機構５のカムピン８に係合し、リフトアーム４１０をリフト駆動機構５に連動連結させる。これにより、リフトアーム４１０がリフトモータ６の正逆駆動に応じて昇降動作することになる。さらに、作動プレート４１５には、プーリ４１６が設けられている。プーリ４１６には、ステージバネ４０９の中間部が懸回されており、そのバネ力は、プーリ４１６を引き下ろす方向に作用している。そのため、ステージバネ４０９を利用してリフトアーム４１０を下方に付勢できる許りでなく、リフトアーム４１０の上昇動作時に、ステージバネ４０９を介してステージ４０７を引き上げることが可能になる。
【００３２】
リフトブレード４１１は、平面視で紙幣Ｐ（ステージ４０７）の幅方向両端部に重合するようにリフトアーム４１０の先端部に取り付けられている。リフトブレード４１１の前後中央位置は、左右方向（紙幣幅方向）を向く第一支軸４１７と、前後方向（紙幣長さ方向）を向く第二支軸４１８とを介してリフトアーム４１０の先端部に支持されている。第一支軸４１７を支点とするリフトブレード４１１の回動は自由であり、紙幣Ｐの押圧反力または紙幣Ｐとの接触抵抗によってリフトブレード４１１が略平行姿勢に保たれる。一方、第二支軸４１８を支点とするリフトブレード４１１の回動は、正面視で略平行となる位置が上限であり、常時は復帰バネ４１９の付勢力で上限に位置する。また、図７に示されるように、リフトアーム４１０がステージバネ４０９の付勢力またはリフトモータ６の駆動力で金庫４００内に位置するときは、リフトブレード４１１がリフトアーム４１０と略一直線となり、金庫４００の上端部に沿って格納される。以下、リフトブレード４１１の作用を図８〜図１０に沿って説明する。
【００３３】
図８は、集積モードにおけるリフトブレードの作用を示す正面図、図９は、返却モードおよび収納モードにおけるリフトブレードの作用を示す正面図、図１０は、収納モードにおけるリフトブレードの作用を示す正面図である。図８に示されるように、集積モードにおいては、リフトブレード４１１が収納紙幣Ｐの両端部を押えながら集積ポジションＡまで移動する。入金紙幣Ｐは、ベルト搬送体３０３とリフトブレード４１１との間に順次搬入され、リフトブレード４１１上に集積される。これにより、リフトブレード４１１は、入金紙幣Ｐと収納紙幣Ｐとを仕切る仕切り部材として機能することになる。集積処理完了後、顧客の要求に応じて入金紙幣Ｐを返却する場合は、図９に示されるように、リフトブレード４１１が返却ポジションＢまで上昇する。このときリフトブレード４１１上の入金紙幣Ｐは、ベルト搬送体３０３に押し当てられ、ベルト搬送体３０３の繰り出し搬送動作に伴って中間プール部３００から順次搬出される。一方、集積処理完了後、入金確定操作に応じて入金紙幣Ｐを金庫４００に収納する場合は、図９に示されるように、リフトブレード４１１が返却ポジションＢを越えて上限ポジションＣまで上昇する。その途中、入金紙幣Ｐがベルト搬送体３０３との接当により上昇が規制されると、リフトブレード４１１は、復帰バネ４１９に抗して下方に退避回動すると共に、入金紙幣Ｐの側面をなぞりながら入金紙幣Ｐの上方に移動し、その後、復帰バネ４１９の付勢力で平行姿勢に復帰する。そして、上限ポジションＣまで上昇したリフトブレード４１１は、図１０に示されるように、反転下降して入金紙幣Ｐおよび収納紙幣Ｐを押し下げ、金庫４００内に収納することになる。また、繰り出しモードにおいては、リフトブレード４１１が上限ポジションＣの近傍まで上昇する。このときステージ４０７上の収納紙幣Ｐは、ベルト搬送体３０３に押し当てられ、ベルト搬送体３０３の繰り出し搬送動作に伴って中間プール部３００から順次搬出される。
【００３４】
図１１は、紙幣集積機構を示す中間プール部の内部平面図、図１２は、紙幣集積機構を示す中間プール部の内部左側面図である。これらの図に示されるように、紙幣集積機構３０８は、平面視で紙幣Ｐ（ステージ４０７）の幅方向両端部に重合するように設けられる左右一対のバタフライ（金属バタフライ）３０８ａと、各バタフライ３０８ａを上下回動自在に支持するバタフライ支軸３０８ｂと、前記バタフライソレノイド３１０の駆動に応じて一対のバタフライ３０８ａを跳ね上げ動作させるバタフライ駆動リンク３０８ｃとを備えて構成されている。また、バタフライ３０８ａおよびバタフライ支軸３０８ｂは、導電性金属部材を用いて一体的に形成されると共に、絶縁性の軸受部材３０８ｄを介して中間プール部３００のフレーム部に取り付けられている。
【００３５】
図１３は、集積モード（集積紙幣少量）におけるバタフライの作用を示す左側面図および正面図、図１４は、集積モード（集積紙幣多量）におけるバタフライの作用を示す左側面図および正面図である。集積モードにおける紙幣受け入れ待機状態では、バタフライ３０８ａが下側位置にあり、搬送口３０１から送り込まれる紙幣Ｐはバタフライ３０８ａの上に搬入される。バタフライ３０８ａは、紙幣Ｐの搬入途中で跳ね上げ動作して紙幣Ｐの上方へ移動し、その後、下降して紙幣Ｐの左右両端部を押える。この一連の動作を繰り返すことにより、複数枚の紙幣Ｐが前記リフトブレード４１１上に整然と集積されることになる。また、集積モードにおいては、バタフライ３０８ａが所定の下降ポジションを維持するようにリフトブレード４１１が下降制御される。これにより、集積紙幣Ｐの量に拘わらず、ベルト搬送体３０３の下方に一定の紙幣搬入スペースが確保されることになる。
【００３６】
上記バタフライ３０８ａは、平面視でリフトブレード４１１に重合するように配置されており、少なくともリフトブレード４１１が前記返却ポジションＢの近傍に位置する状態では、バタフライ３０８ａの動作範囲がブレード位置にオーバーラップする。つまり、この状態でバタフライソレノイド３１０をＯＦＦにすると、バタフライ３０８ａがリフトブレード４１１に上方から接当するが、図１５の（Ａ）に示されるように、リフトブレード４１１上に紙幣Ｐが有る場合には、バタフライ３０８ａとリフトブレード４１１とが絶縁体である紙幣Ｐを介して分離され、また、図１５の（Ｂ）に示されるように、リフトブレード４１１上に紙幣Ｐが無い場合には、バタフライ３０８ａとリフトブレード４１１とが直接接触することになる。
【００３７】
ところで、左右一対のリフトブレード４１１は、導電性金属部材を用いて形成されると共に、アースもしくはリフトブレード支持部材（リフトアーム４１０、回動支軸４１０ａ等）を介して相互に電気的に接続され、導通チェック回路を構成する。つまり、図１５の（Ｂ）に示されるように、バタフライ３０８ａとリフトブレード４１１とが直接接触する状態では、金庫４００側の導通チェック回路を介して左右のバタフライ３０８ａが電気的に接続されることになる。
【００３８】
図１６は、紙幣検出回路を示すブロック図である。この図に示されるように、制御部７００には、リフトブレード４１１上における紙幣Ｐの有無を検出する紙幣検出回路７０１が構成されている。紙幣検出回路７０１は、ＣＰＵ７０２の出力端子を左右何れか一方のバタフライ３０８ａに接続させる送信回路７０３と、ＣＰＵ７０２の入力端子を他方のバタフライ３０８ａに接続させる受信回路７０４とを備えている。送信回路７０３は、電源（５Ｖ）に接続される一方、受信回路７０４は、ダイオード７０５を介してアースに接続されている。これにより、金庫４００を経由するバタフライ３０８ａ同士の導通チェック回路が構成される。上記電源から一方のバタフライ３０８ａに至る経路と、他方のバタフライ３０８ａからアースに至る経路には、それぞれ直流成分遮断用のコンデンサ７０６が介設されており、該コンデンサ７０６で直流成分を遮断することによって、接点（バタフライ３０８ａ、リフトブレード４１１）における火花の発生を抑え、接点の劣化を防止している。上記ＣＰＵ７０２の入出力端子は、それぞれアンプ７０７、７０８を介して導通チェック回路に接続されている。ＣＰＵ７０２は、紙幣検出要求を受けると、所定周波数（１００ＫＨｚ）のパルスをソフトウェア上で生成し、これを出力端子から所定時間（１００ｍｓ）だけ出力する。出力されたパルスは、アンプ７０７で増幅されると共に、コンデンサ７０６を通って一方のバタフライ３０８ａから他方のバタフライ３０８ａに向けて送信される。バタフライ３０８ａがリフトブレード４１１に接触している場合には、送信パルスが金庫４００を経由して受信回路７０４に流れる。このとき接点には、所定値（１００ｍＡ）の電流が流れるものの、その電流は交流成分（パルス）であるため、接点における火花の発生が抑えられると共に、その電圧変化によって接点の絶縁皮膜を突破（破壊）することが可能になる。受信回路７０４側において上記パルスを受信すると、パルスはコンデンサ７０６を通ってアンプ７０８で増幅され、ＣＰＵ７０２の入力端子に至る。パルスの電流値が所定値以上である場合、導通チェック回路が導通状態であると判断され、該判断に基づいてリフトブレード４１１上における紙幣Ｐの有無が判定されることになる。
【００３９】
図１７は、制御部の入出力を示すブロック図である。この図に示されるように、制御部７００には、前述したリフトモータ６、繰り出しセンサ３０６、バタフライソレノイド３１０、分離ソレノイド３１１、縦搬送モータ６０６および紙幣検出回路７０１に加え、リフトモータ６のポジションを検知するリフトポジションセンサ１１、中間プール部３００の搬送口３０１で紙幣Ｐの通過を検知する中間通過センサ３１２、バタフライ３０８ａのポジションを検知するバタフライポジションセンサ３１３、横搬送部６０１を搬送動作させる横搬送モータ６０７等が接続されている。以下、制御部７００による返却計数繰り出し制御（返却モード）および返却計数終了認識制御をフローチャートに基づいて説明する。
【００４０】
図１８は、返却計数繰り出し制御の制御手順を示すフローチャートである。この図に示されるように、返却計数繰り出し制御は、返却コマンドの受信（Ｓ１８０１）に応じて実行される。返却コマンドを受信すると、繰り出す金種に対応する中間プール部３００のゲート６０３を開く（Ｓ１８０２）と共に、繰り出す金種以外のリフトモータ６を下降ポジションへ移動する（Ｓ１８０３）。その後、横搬送モータ６０７および縦搬送モータ６０６を上り駆動する（Ｓ１８０４、Ｓ１８０５）と共に、繰り出す金種のリフトモータ６を返却初期ポジションへ移動し（Ｓ１８０６）、繰り出しセンサ３０６で紙幣Ｐの繰り出し走行を判断する（Ｓ１８０７）。この状態では、繰り出しセンサ３０６の検出信号が所定時間内（２０ｍｓ）に変化したか否かを判断しつつ、リフトモータ６を所定時間（１０ｍｓ）上昇駆動（Ｓ１８０８）させており、これを紙幣Ｐが繰り出し走行を開始するまで続ける。紙幣Ｐが繰り出し走行を始めた後、中間通過センサ３１２が繰り出し紙幣Ｐの先端を検知（Ｓ１８０９）してから１５ステップ搬送した時点（Ｓ１８１０）で分離ソレノイド３１１をＯＮにし（Ｓ１８１１）、さらに、中間通過センサ３１２が繰り出し紙幣Ｐの後端を検知（Ｓ１８１２）した時点で計数処理を行う（Ｓ１８１３）。その後、返却計数終了認識制御が終了認識状態か否かを判断し（Ｓ１８１４）、該判断がＹＥＳ（はい）の場合は、返却計数処理終了ルーチンを実行（Ｓ１８１５）して返却計数繰り出し制御を終了する。一方、上記判断がＮＯ（いいえ）の場合は、７０ステップ搬送後（Ｓ１８１６）に分離ソレノイド３１１をＯＦＦにし（Ｓ１８１７）、ステップＳ１８０７に戻って返却繰り出し処理を継続する。
【００４１】
図１９は、返却計数終了認識制御の制御手順を示すフローチャートである。この図に示されるように、返却計数終了認識制御は、一括返却処理中（Ｓ１９０１）で、且つ、繰り出し処理中（Ｓ１９０２）である場合に実行される。まず、返却繰り出し処理における重送の有無を判断し（Ｓ１９０３）、ここで重送が無いと判断した場合には、返却繰り出し枚数が記憶集積枚数（入金集積処理時の記憶データ）に到達（Ｓ１９０４）したことに応じて計数終了とする（Ｓ１９０５）。一方、重送有りと判断した場合には、前記紙幣検出回路７０１による導通チェックを開始（Ｓ１９０６）すると共に、導通状態が否かを判断し（Ｓ１９０７）、ここで導通状態であると判断した場合には、集積紙幣Ｐを全て返却したと判定し、計数終了とする（Ｓ１９０５）。また、導通チェック中は、返却繰り出し処理枚数が実質記憶集積枚数（記憶集積枚数−重送回数）を越えないことを確認（Ｓ１９０８）しており、この確認結果がＮＯ（いいえ）になった場合は、キャンセルエラーとする（Ｓ１９０９）。
【００４２】
以上の如く本実施形態によれば、紙幣入出金装置１は、紙幣Ｐを収納する金庫４００と、前記金庫４００上に紙幣Ｐを集積する中間プール部３００と、前記中間プール部３００に搬入される紙幣Ｐを１枚ずつ前記金庫４００上に押し付け、且つ、前記金庫４００上に紙幣Ｐが有る場合に前記金庫４００と電気的に分離される一方、前記金庫４００上に紙幣Ｐが無い場合に前記金庫４００と電気的に接続される紙幣集積機構３０８と、前記紙幣集積機構３０８側と金庫４００側との導通チェックに基づいて、前記金庫４００上における紙幣Ｐの有無を検出する紙幣検出回路７０１とを備えて構成される。これにより、ホトセンサによる検出が不可能な状況であっても、金庫４００上における紙幣Ｐの有無を検出することができ、しかも、導通チェックに基づいて紙幣Ｐの有無を検出するものでありながら、既存の部材（紙幣集積機構３０８等）を利用して導通チェック回路を構成することにより、部品点数の削減および構造の簡略化を図ることができる。
【００４３】
また、前記紙幣集積機構３０８は、紙幣Ｐの両端部を前記金庫４００上に押し付ける一対のバタフライ３０８ａを備え、前記紙幣検出回路７０１は、前記バタフライ３０８ａ同士の導通チェックに基づいて、前記金庫４００上における紙幣Ｐの有無を検出するため、紙幣集積機構３０８側の配線のみで金庫４００上における紙幣Ｐの有無を検出することができ、その結果、金庫４００側の配線を不要にして部品点数の削減および構造の簡略化を図ることができる。
【００４４】
また、前記金庫４００は、紙幣Ｐの両端部を下側から支え、且つ、相互に電気的に接続される一対のリフトブレード４１１を備え、前記一対のバタフライ３０８ａは、前記一対のリフトブレード４１１上に紙幣Ｐが無い場合に、それぞれ前記各リフトブレード４１１に対して接触されるため、リフトブレード４１１を利用して導通チェック回路を構成することができ、その結果、専用部材を設ける場合に比して部品点数の削減および構造の簡略化を図ることができる。
【００４５】
また、前記一対のリフトブレード４１１は、アースまたはブレード支持部材（リフトアーム４１０、回動支軸４１０ａ等）を介して相互に電気的に接続されているため、一対のリフトブレード４１１を配線で接続することが不要になり、その結果、部品点数の削減および構造の簡略化を図ることができる。
【００４６】
また、前記一対のリフトブレード４１１は、集積した紙幣Ｐを収納する金庫４００に対し、その内外に出退自在に取り付けられると共に、その出退動作によってリフトブレード４１１上の紙幣Ｐを前記金庫４００内に取り込むよう構成されているため、リフトブレード４１１上に集積される紙幣Ｐの有無を、金庫４００に収納される紙幣Ｐと区別した状態で検出することができる。
【００４７】
また、前記紙幣検出回路７０１は、前記一方のバタフライ３０８ａ側から所定波形のパルスを送出する送信回路７０３と、前記他方のバタフライ３０８ａ側で前記パルスを受信する受信回路７０４と、前記受信回路７０４の受信信号に基づいて、前記金庫４００上における紙幣Ｐの有無を判定するＣＰＵ７０２とを備えるため、導通チェックに基づいて紙幣Ｐの有無を検出するものでありながら、接点（バタフライ３０８ａ、リフトブレード４１１）の劣化や、劣化に伴う接触不良を回避し、精度の高い検出を行うことができる。
【００４８】
また、前記一方のバタフライ３０８ａ側における送信回路７０３及び前記他方のバタフライ３０８ａ側における受信回路７０４に、それぞれ直流成分遮断用のコンデンサ７０６を備えるため、火花の発生要因である直流成分を遮断して接点（バタフライ３０８ａ、リフトブレード４１１）の劣化を防止できる。
【００４９】
また、入金紙幣Ｐを返却する際には、前記リフトブレード４１１上の紙幣Ｐを繰り出し搬送する工程と、前記バタフライ３０８ａと前記リフトブレード４１１との導通チェックに基づいて、前記リフトブレード４１１上における紙幣Ｐの有無を判定する工程と、前記リフトブレード４１１上に紙幣Ｐが無いと判定したとき、紙幣Ｐの繰り出しを終了する工程とを実行するため、重送等の発生によって繰り出し処理枚数を正確に認識できない状況であっても、リフトブレード４１１上における紙幣Ｐの有無を正確に判断し、適正な終了処理を行うことができる。
【００５０】
以上、本発明の一実施形態を図面に沿って説明した。しかしながら本発明は前記実施形態に示した事項に限定されず、特許請求の範囲の記載に基いてその変更、改良等が可能であることは明らかである。
【００５１】
【発明の効果】
以上の如く本発明によれば、ホトセンサによる検出が不可能な状況であっても、金庫上における紙幣の有無を検出することができ、しかも、導通チェックに基づいて紙幣の有無を検出するものでありながら、既存の部材を利用して導通チェック回路を構成することにより、部品点数の削減および構造の簡略化を図ることができる。
【図面の簡単な説明】
【図１】紙幣入出金装置の内部側面図である。
【図２】中間プール部の内部平面図である。
【図３】中間プール部の内部左側面図である。
【図４】リフト駆動機構の左側面図である。
【図５】リフトブレード上昇状態（繰り出しモード）を示す紙幣収納機構の正面図である。
【図６】リフトブレード上昇状態（繰り出しモード）を示す紙幣収納機構の右側面図である。
【図７】リフトブレード下降状態（初期状態）を示す紙幣収納機構の右側面図である。
【図８】集積モードにおけるリフトブレードの作用を示す正面図である。
【図９】返却モードおよび収納モードにおけるリフトブレードの作用を示す正面図である。
【図１０】収納モードにおけるリフトブレードの作用を示す正面図である。
【図１１】紙幣集積機構を示す中間プール部の内部平面図である。
【図１２】紙幣集積機構を示す中間プール部の内部左側面図である。
【図１３】集積モード（集積紙幣少量）におけるバタフライの作用を示す左側面図および正面図である。
【図１４】集積モード（集積紙幣多量）におけるバタフライの作用を示す左側面図および正面図である。
【図１５】紙幣の有無によるバタフライとリフトブレードとの関係変化を示す説明図である。
【図１６】紙幣検出回路を示すブロック図である。
【図１７】制御部の入出力を示すブロック図である。
【図１８】返却計数繰り出し制御の制御手順を示すフローチャートである。
【図１９】返却計数終了認識制御の制御手順を示すフローチャートである。
【符号の説明】
Ｐ  紙幣
１  紙幣入出金装置
１００  入出金部
２００  識別部
３００  中間プール部
３０３  ベルト搬送体
３０８  紙幣集積機構
３０８ａ  バタフライ
３１０  バタフライソレノイド
３１１  分離ソレノイド
４００  金庫
４０７  ステージ
４１１  リフトブレード
５００  金庫
６００  紙幣搬送部
７００  制御部
７０１  紙幣検出回路
７０２  ＣＰＵ
７０３  送信回路
７０４  受信回路
７０６  コンデンサ
【図１】
0004912532.tif 000002
【図２】
0004912532.tif 000003
【図３】
0004912532.tif 000004
【図４】
0004912532.tif 000005
【図５】
0004912532.tif 000006
【図６】
0004912532.tif 000007
【図７】
0004912532.tif 000008
【図８】
0004912532.tif 000009
【図９】
0004912532.tif 000010
【図１０】
0004912532.tif 000011
【図１１】
0004912532.tif 000012
【図１２】
0004912532.tif 000013
【図１３】
0004912532.tif 000014
【図１４】
0004912532.tif 000015
【図１５】
0004912532.tif 000016
【図１６】
0004912532.tif 000017
【図１７】
0004912532.tif 000018
【図１８】
0004912532.tif 000019
【図１９】
0004912532.tif 000020